(57)【要約】      （修正有）【課題】身の回りの物品を置き忘れたり、他人が持ち去ったりすることを未然に防ぎ、人や財産の安全を守るための遺失防止、監視装置を提供する。【解決手段】データを識別する認識モジュール１０と、認識モジュールに接続するセンサー側送受信モジュール１１とを含んでなり、かつ監視制御の対象となる物品、もしくは人などに装着する複数のセンサー１と、及びロジック、演算、保存機能を具える制御モジュール３０と、制御モジュールに接続する本体側送受信モジュール３１と、本体側アラームモジュール３２と、操作モジュール３３と、表示モジュール３４とを含む本体と、を具える。制御モジュールが本体信号送受信モジュールを介してセンサー側送受信モジュール及び認識モジュールと信号を送受信することによって、センサーと本体との距離が予め設定された警告距離を超えるとアラームを発生させる。【選択図】図４
0003195176.tif 000002
【実用新案登録請求の範囲】
【請求項１】
データを識別する認識モジュールと、該認識モジュールに接続するセンサー側送受信モジュールとを含んでなり、かつ監視制御の対象となる物品、もしくは人などに装着する複数のセンサーと、
ロジック、演算、保存機能を具える制御モジュールと、該制御モジュールに接続する本体側送受信モジュールと、本体側アラームモジュールと、操作モジュールと、表示モジュールと、を含む本体と、を具える遺失防止、監視装置であって、
該制御モジュールが該本体信号送受信モジュールを介して該センサーの該センサー側送受信モジュール及び該認識モジュールと信号を送受信することによって、該センサーと該本体とをマッチングさせ、かつ該センサーと該本体との間の距離を判断するとともに、該本体側アラームモジュールは、マッチングを完成させた該センサーと該本体との距離が予め設定された警告距離を超えるとアラームを発生させ、
該操作モジュールと該表示モジュールとによって該本体と該センサーとのマッチング及び該警告距離設定の操作を行うことを特徴とする遺失防止、監視装置。
【請求項２】
前記遺失防止装置は、さらにＧＰＳ及びマップ機能を具える携帯電話機を含み、かつ該本体は、さらにＧＰＳポジショニングモジュールと通信モジュールとを含み、
該ＧＰＳポジショニングモジュールを起動すると該本体のその時点における位置のＧＰＳ情報を取得し、
該操作モジュールと該表示モジュールとによって起動パスワードを設定し、かつ該携帯電話機の操作のバインディンを行い、
入力された起動パスワードが間違っていると該制御モジュールが判断した場合、該通信モジュールを介して該本体の位置に係るＧＰＳ情報を継続して該携帯電話機に送信し、該携帯電話機がＧＰＳ及びマップ機能によって該本体の位置を表示することを特徴とする請求項１に記載の遺失防止、監視装置。
【請求項３】
前記複数のセンサーのそれぞれは、さらにセンサー側アラームモジュールを具え、該センサーと該本体との距離が予め設定された警告距離を超えるとアラームを発することを特徴とする請求項１、もしくは請求項２に記載の遺失防止、監視装置。
【請求項４】
前記本体側アラームモジュールは、アラームランプとアラーム音声発生手段とを具え、かつ該センサー側アラームモジュールは、ラームランプとアラーム音声発生手段とを具えることを特徴とする請求項３に記載の遺失防止、監視装置。
【請求項５】
前記センサーと該本体との距離が予め設定された警告距離を超えると、該本体側アラームモジュールは、一定の発生頻度でアラームを発生させ、かつ該本体が該センサーに近づくと、該本体側アラームモジュールのアラームの発生頻度が高くなることを特徴とする請求項４に記載の遺失防止、監視装置。
【請求項６】
前記センサーと該本体との距離が予め設定された警告距離を超えると、該本体の表示装置に該センサーの基本情報と、位置、方位、距離を表示することを特徴とする請求項４に記載の遺失防止、監視装置。
【請求項７】
前記認識モジュールはＲＦＩＤチップであり、該センサー側送受信モジュールはＲＦＩＤアンテナであり、該本体側送受信モジュールはＲＦＩＤリーダライタであることを特徴とする請求項６に記載の遺失防止、監視装置。
【請求項８】
前記センサーは、他の物品に係着するアクセサリーにセンサーを取り付けた形態であることを特徴とする請求項６に記載の遺失防止、監視装置。
【請求項９】
前記センサーは、他の物品に貼着するシールにセンサーを取り付けた形態であることを特徴とする請求項６に記載の遺失防止、監視装置。
【請求項１０】
前記センサーは、ブレスレットにセンサーを取り付けた形態であることを特徴とする請求項６に記載の遺失防止、監視装置。
【考案の詳細な説明】
【技術分野】
【０００１】
この考案は、身の回りの物品が所定の距離離れると警告を発して、置き忘れによる遺失、もしくは置き引きなどを防ぐ遺失防止、監視装置に関する。
【背景技術】
【０００２】
現代に至り人々の生活は忙しくなっている。このため、身の回りの物品を置き忘れたりして遺失することが多々ある。例えば携帯電話機、財布、メガネ、モバイルタイプのパーソナルコンピュータ、もしくはその他手荷物などである。また、これら物品のみならず、乳幼児、友人、家族、老齢者などと同伴で出かけた場合、急用が発生したり、留意を怠ったりしているとはぐれることもあり、甚だしくは犯罪に遭い、拉致される場合もある。また、教師、父兄が幼児を連れて出かける場合、留意を怠ったことにより幼児が身辺から離れたことに気づかず、危険な目に合わせることが常に起きている。このような事態に陥ると、往々にして遺憾の極みとなる結果を招く。例えば、最近の新聞の記事によれば、幼稚園児の送迎バスで、幼稚園側も運転手も園児が下車せず車内に残っているのに気付かず、車内で熱射病により急死するという事故が起きている。
【０００３】
そこで、留意を怠ったことによって発生する身の回りの物品の遺失、盗難、もしくは同伴者とはぐれることなどを未然に防ぐための最適の方策が望まれている。
【考案の概要】
【考案が解決しようとする課題】
【０００４】
そこで、この考案は、留意を怠ったり、急用が発生して不注意になったりすることで、身の回りの物品を置き忘れたり、他人が持ち去ったりすることを未然に防ぎ、人や財産の安全を守るための  遺失防止、監視装置を提供することを課題とする。
【課題を解決するための手段】
【０００５】
本考案者は、身の回りの物品、財産の安全をまもるための方策を得るために鋭意研究を重ねた結果、データを識別する認識モジュールと、該認識モジュールに接続するセンサー側送受信モジュールとを含んでなり、かつ監視制御の対象となる物品、もしくは人などに装着する複数のセンサーと、及びロジック、演算、保存機能を具える制御モジュールと、該制御モジュールに接続する本体側送受信モジュールと、本体側アラームモジュールと、操作モジュールと、表示モジュールとを含む本体と、を具えてなる遺失防止、監視装置によって課題を解決できる点に着眼し、係る知見に基づいて本考案を完成させた。
【０００６】
以下この考案について説明する。請求項１に記載する遺失防止、監視装置は、データを識別する認識モジュールと、該認識モジュールに接続するセンサー側送受信モジュールとを含んでなり、かつ監視制御の対象となる物品、もしくは人などに装着する複数のセンサーと、
及びロジック、演算、保存機能を具える制御モジュールと、該制御モジュールに接続する本体側送受信モジュールと、本体側アラームモジュールと、操作モジュールと、表示モジュールと、を含む本体と、を具える遺失防止、監視装置であって、
該制御モジュールが該本体信号送受信モジュールを介して該センサーの該センサー側送受信モジュール及び該認識モジュールと信号を送受信することによって、該センサーと該本体とをマッチングさせて独特の関連を形成し、かつ該センサーと該本体との間の距離を判断するとともに、該本体側アラームモジュールが、すでにマッチングを完成させた該センサーと該本体との距離が予め設定された警告距離を超えるとアラームを発生させ、該操作モジュールと該表示モジュールとによって該本体と該センサーとのマッチング及び該警告距離設定の操作を行う。
【０００７】
請求項２に記載する遺失防止、監視装置は、請求項１における遺失防止装置が、さらにＧＰＳ及びマップ機能を具える携帯電話機を含み、かつ該本体が、さらにＧＰＳポジショニングモジュールと通信モジュールとを含み、
該ＧＰＳポジショニングモジュールを起動すると該本体のその時点における位置のＧＰＳ情報を取得し、
該操作モジュールと該表示モジュールとによって起動パスワードを設定し、かつ該携帯電話機の操作のバインディンを行い。
入力された起動パスワードが間違っていると該制御モジュールが判断した場合、該通信モジュールを介して該本体の位置に係るＧＰＳ情報を継続して該携帯電話機に送信し、該携帯電話機がＧＰＳ及びマップ機能によって該本体の位置を表示する。
【０００８】
請求項３に記載する遺失防止、監視装置は、請求項１、もしくは請求項２における複数のセンサーのそれぞれが、さらにセンサー側アラームモジュールを具え、該センサーと該本体との距離が予め設定された警告距離を超えるとアラームを発する。
【０００９】
請求項４に記載する遺失防止、監視装置は、請求項３における本体側アラームモジュールがアラームランプとアラーム音声発生手段とを具え、かつ該センサー側アラームモジュールがラームランプとアラーム音声発生手段とを具える。
【００１０】
請求項５に記載する遺失防止、監視装置は、請求項４におけるセンサーと該本体との距離が予め設定された警告距離を超えると、該本体側アラームモジュールが一定の発生頻度でアラームを発生させ、かつ該本体が該センサーに近づくと、該本体側アラームモジュールのアラームの発生頻度が高くなる。
【００１１】
請求項６に記載する遺失防止、監視装置は、請求項４におけるセンサーと該本体との距離が予め設定された警告距離を超えると、該本体の表示装置に該センサーの基本情報と、位置、方位、距離を表示する。
【００１２】
請求項７に記載する遺失防止、監視装置は、請求項６における認識モジュールがＲＦＩＤチップであって、該センサー側送受信モジュールがＲＦＩＤアンテナであって、該本体側送受信モジュールがＲＦＩＤリーダライタである。
【００１３】
請求項８に記載する遺失防止、監視装置は、請求項６におけるセンサーが他の物品に係着するアクセサリーにセンサーを取り付けた形態である。
【００１４】
請求項９に記載する遺失防止、監視装置は、請求項６におけるセンサーが他の物品に貼着するシールにセンサーを取り付けた形態である。
【００１５】
請求項１０に記載する遺失防止、監視装置は、請求項６におけるセンサーがブレスレットにセンサーを取り付けた形態である。
【図面の簡単な説明】
【００１６】
【図１】この考案による遺失防止、監視装置の使用態様を示した説明図である。
【図２】この考案による遺失防止、監視装置の使用態様を示した他の説明図である。
【図３】この考案による遺失防止、監視装置の構造を示したブロック図である。
【図４】この考案における本体とセンサーの構造を示したブロック図である。
【考案を実施するための形態】
【００１７】
この考案は留意を怠ったり、急用が発生して不注意になったりすることで、身の回りの物品を置き忘れたり、他人が持ち去ったりすることを未然に防ぎ、人や財産の安全を守るための遺失防止、監視装置を提供するものであって、データを識別する認識モジュールと、該認識モジュールに接続するセンサー側送受信モジュールとを含んでなり、かつ監視制御の対象となる物品、もしくは人などに装着する複数のセンサーと、及びロジック、演算、保存機能を具える制御モジュールと、該制御モジュールに接続する本体側送受信モジュールと、本体側アラームモジュールと、操作モジュールと、表示モジュールとを含む本体と、を具えてなる。係る遺失防止、監視装置の構造と特徴を説明するために、具体的な実施例を挙げ、図面を参照にして以下に詳述する。
【実施例】
【００１８】
図１から４に開示するように、この考案による遺失防止、監視装置は、複数のセンサー１と、携帯電話機２と、本体３とを含む。
【００１９】
センサー１は例えば、他の物品に係着するアクセサリーにセンサーを取り付けた形態であったり、他の物品に貼着するシールにセンサーを取り付けた形態であったり、ブレスレットにセンサーを取り付けた形態であったりする物品に取り付けやすい、もしくは人やペットが携帯しやすい、又は装着しやすい形態とする。
【００２０】
それぞれのセンサー１にはデータを識別する認識モジュール１０と、認識モジュール１０に接続するセンサー側送受信モジュール１１と、センサー側アラームモジュール１２とを含んでなる。
【００２１】
センサー側アラームモジュール１２はアラームランプか、アラーム音声発生手段の内の任意の一つを含むか、もしくは両者を具え、センサー１と本体３との距離が予め設定された警告距離を超えると、センサー側アラームモジュール１２は対応するアラーム信号を発生させる。
【００２２】
携帯電話機２は、ＧＰＳ及びマップ機能を具える。
【００２３】
本体３は、ロジック、演算、保存機能を具える制御モジュール３０と、制御モジュール３０に接続する本体側送受信モジュール３１と、本体側アラームモジュール３２と、操作モジュール３３と、表示モジュール３４と、ＧＰＳポジショニングモジュール３５と、通信モジュール３６とを含んでなる。
【００２４】
制御モジュール３０は、本体側送受信モジュール３１を介してセンサー１のセンサー側送受信モジュール１１及び認識モジュール１０と信号を送受信してセンサー１と本体３とをマッチングさせ、独特の関連を形成し、かつセンサー１と本体３との間の距離を判断する。
【００２５】
本体側アラームモジュール３２は、アラームランプか、アラーム音声発生手段の内の任意の一つを含むか、もしくは両者を具え、マッチングしたセンサー１と本体３との距離が予め設定された警告距離を超えると、一定の発生頻度でアラームを発生させる。本体３がセンサー１に近づくにつれて、アラームの発生頻度が高くなる。
【００２６】
操作モジュール３３と表示モジュール３４とによって本体３とセンサー１とのマッチング、対応するネームの設定、警告距離の設定、起動パスワード、携帯電話機２の操作のバインディングを行う。
【００２７】
ＧＰＳポジショニングモジュール３５は、起動すると本体３のその時点における位置のＧＰＳ情報を取得することができる。
【００２８】
通信モジュール３６は、入力された起動パスワードが間違っていると制御モジュール３０が判断した場合、本体３の位置に係るＧＰＳ情報を継続して携帯電話機２に送信する。携帯電話機２はＧＰＳ及びマップ機能によって本体３の位置を知ることができ、このため本体３を見つけることが可能になる。
【００２９】
この考案において、認識モジュール１０はＲＦＩＤチップであって、センサー側送受信モジュール１１がＲＦＩＤアンテナであって、本体側送受信モジュール３１がＲＦＩＤリーダライタであってもよい。
【００３０】
この考案による遺失防止、監視装置は、チューニングによって本体３とセンサー１とをマッチングさせて独特の関連を形成し、マッチングを完成させたセンサー１を接着、掛着などの方式で監視制御する物品、もしくはペットや人に取り付ける。
【００３１】
また、本体３にマッチングを完成させたセンサー１と本体３との警告距離を設定するとともに、本体３の監視制御メカニズムを選択して起動する。
【００３２】
よって、本体３とセンサー１との距離が警告距離を超えた場合アラーム信号を発生させる。即ち、本体３とセンサー１を装着した物品、人、ペットなどとの距離が前述の警告距離を超えた場合、本体３とセンサー１はランプの点滅、又はアラーム音などのアラームを発して注意を促す。同時に本体３の表示装置にセンサー１の基本情報と、その位置、方位、距離とを表示する
【００３３】
センサー１を見つけた後、本体３によってアラームをオフにし、センサー１の監視制御を実行するか、もしくはセンサー１の監視制御を停止するか選択する。
【００３４】
この考案による遺失防止、監視装置は上述する構造を具え、かつ本体３を遺失した場合のために、本体３の遺失防止メカニズムを具える。即ち、本体３にパスワードと情報を送信する携帯電話機２を設定する。この場合、本体３に起動パスワードと、本体３のＧＰＳ情報を伝送する携帯電話機２の番号を設定する。
【００３５】
次いで、本体３においてＧＰＳポジショニングモジュール３５を起動し、本体のその時点におけるＧＰＳ情報を取得する。同時に本体遺失防止メカニズムを選択して起動する。
【００３６】
本体３を遺失して、他人がこれを拾い、かつ起動パスワードを入力した場合、本体３に入力されたパスワードが違っていると、一定の間隔を置いて本体３の位置に係るＧＰＳ情報を前記の設定した携帯電話機２に自動的に送信する。次いで、所定の時間が経過する毎に本体３は、目下の位置に係るＧＰＳ情報を前記のとおり設定された携帯電話機２に繰り返し送信する。携帯電話機２を所持する者は、受信した該ＧＰＳ情報に基づいて本体３の所在する地点を判断し、見つけることができる。
【００３７】
本体３を見つけた後、本体３に正確な起動パスワードを入力し、ＧＰＳ情報の再発送を停止する。次いで、継続して本体遺失防止メカニズムを実行するか、もしくはオフにして本体遺失防止メカニズムの実行を停止する。
【００３８】
この考案の提供する遺失防止装置及びその方法は、本体３と複数のセンサー１とをそれぞれマッチングさせて対応するネームと警告距離を設定することができる。よって、本体３は複数のセンサー１を監視制御することができる。
【００３９】
監視制御の対象である複数のセンサー１は、それぞれ掛着などの方式で監視する物品、もしくは人やペットに取り付ける。したがって、本体３において監視制御メカニズムを実行すると、本体３と監視制御される複数のセンサー１とは、無線方式で互いに信号の送受信を行い、これに基づいて本体３が複数のセンサー１の位置と距離を判断する。
【００４０】
制御監視を行っているセンサー１が警告距離を超えると、本体３はアラームを発して、どの物品、人、もしくはペットが安全な距離の範囲を超えたか注意を喚起する。したがって、使用者は該アラームに対して反応して、不注意による遺失を防いだり、忙しさから重要な物品を置き忘れたりすることを防ぐことができる。また、他人の盗難などの行為から財産を守ることができる。
【００４１】
また、予め本体３にパスワードと、情報を伝送する携帯電話機２とを設定し、ＧＰＳポジショニングモジュール３５を起動することによって、本体３を遺失し、かつ他人が間違ったパスワードを入力した場合、本体３が自動的に、且つ継続して本体３のその時点における位置に係るＧＰＳ情報を予め設定された携帯電話機２に伝送する。よって、携帯電話機２の表示にしたがって本体３を容易に見つけることができる。
【符号の説明】
【００４２】
１     センサー
１０   認識モジュール
１１   センサー側送受信モジュール
１２   センサー側アラームモジュール
２     携帯電話機
３     本体
３０   制御モジュール
３１   本体側送受信モジュール
３２   本体側アラームモジュール
３３   操作モジュール
３４   表示モジュール
３５   ＧＰＳポジショニングモジュール
３６   通信モジュール
【図１】
0003195176.tif 000003
【図２】
0003195176.tif 000004
【図３】
0003195176.tif 000005
【図４】
0003195176.tif 000006